(57)【要約】【課題】  ワーム本体が魚を誘うのに有効な本来の動きが可能となる適正な態様でワーム本体に対して釣針を簡単に取り付けることのできる魚釣り用ワームを提供する。【解決手段】  一方向が長手になるように成形された軟質なワーム本体を備え、釣針の針先をワーム本体の長手方向の一端から刺衝して該釣針の軸をワーム本体の長手方向に延びる中心線に沿わせるとともに、釣針の針先をワーム本体の外周から外側に延出させるように釣針が取り付けられる魚釣り用ワームにおいて、ワーム本体は、該ワーム本体の中心線に沿うように長手方向の一端から他端側に掘り下げられた針誘導部が形成されていることを特徴とする。【選択図】図１
2009082000.tif 000002
【特許請求の範囲】
【請求項１】
一方向が長手になるように成形された軟質なワーム本体を備え、釣針の針先をワーム本体の長手方向の一端から刺衝して該釣針の軸をワーム本体の長手方向に延びる中心線に沿わせるとともに、釣針の針先をワーム本体の外周から外側に延出させるように釣針が取り付けられる魚釣り用ワームにおいて、ワーム本体は、該ワーム本体の中心線に沿うように長手方向の一端から他端側に掘り下げられた針誘導部が形成されていることを特徴とする魚釣り用ワーム。
【請求項２】
前記針誘導部は、ワーム本体の一端から途中位置まで穿設された非貫通穴で構成されている請求項１に記載の魚釣り用ワーム。
【請求項３】
前記針誘導部は、釣針の軸の長さよりも長く形成されている請求項２に記載の魚釣り用ワーム。
【請求項４】
前記針誘導部は、ワーム本体の全長に亘って貫通した穴で構成されている請求項１に記載の魚釣り用ワーム。
【請求項５】
前記針誘導部は、ワーム本体の一端に形成された凹部で構成されている請求項１に記載の魚釣り用ワーム。
【請求項６】
前記針誘導部は、内径が取り付けの対象となる釣針の軸の外径よりも小径に設定されている請求項１乃至５の何れか１項に記載の魚釣り用ワーム。
【請求項７】
前記針誘導部は、前記中心線上を通るように設けられている請求項１乃至６の何れか１項に記載の魚釣り用ワーム。
【請求項８】
前記ワーム本体は、外径が１０ｍｍ以下の棒状に形成されている請求項１乃至７の何れか１項に記載の魚釣り用ワーム。
【発明の詳細な説明】
【技術分野】
【０００１】
本発明は、一方向が長手になるように成形された軟質なワーム本体を備えた魚釣り用ワームに関する。
【背景技術】
【０００２】
従来から、魚釣り用の疑似餌として種々のものが提供されており、その一つとして、一方向が長手になるように成形された軟質なワーム本体を備えた魚釣り用ワームが周知である。
【０００３】
かかる魚釣り用ワームは、ワーム本体が軟質な樹脂材料（例えば、塩化ビニルやＴＰＲ等の合成樹脂）で成形されている。該ワーム本体は、外観が小魚、オタマジャクシ、みみず、ゴカイ、アオイソメ等といった魚の好む生き餌に似せた形状になるように一方向を長手にして形成されている。すなわち、ワーム本体は、生き餌の頭に相当する一端から生き餌の尾に相当する他端に向けて長手に形成されている。
【０００４】
上記構成の魚釣り用ワームは、釣針の針先をワーム本体の一端から刺衝して該釣針の軸をワーム本体の長手方向に延びる中心線に沿わせるとともに、釣針の針先をワーム本体の外周から外側に延出させるように釣針が取り付けられる。
【０００５】
そして、魚釣り用ワームは、取り付けられた釣針のチモトに連結した釣り糸を引くことで生き餌の如く動作し、これによって魚を引き寄せるようになっている。
【発明の開示】
【発明が解決しようとする課題】
【０００６】
ところで、魚釣り用ワームは、上述の如くワーム本体が軟質であるため、変形しやすく、該ワーム本体に対して釣針を刺衝しにくいといった問題がある。また、仮に釣針をワーム本体に刺衝できたとしても、図１０に示す如く、ワーム本体１００の中心線ＣＬに釣針Ｆの軸Ｆｂが沿った態様で釣針Ｆをワーム本体１００に取り付けなることができない場合がある。すなわち、従来の魚釣り用ワームは、ワーム本体１００が変形し易いために釣針Ｆの軸Ｆｂがワーム本体１００の中心線ＣＬに対して傾斜した状態で取り付けられる傾向にある。また、釣針Ｆを刺衝するに当り、強引に釣針Ｆをワーム本体１００に対して適正な配置にしょうとすると、ワーム本体１００が捻れた状態になってしまう場合もある。
【０００７】
さらに、ワーム本体１００の外径（長手方向と直交する方向の径）が小径である場合には、釣針Ｆの針先Ｆｄを刺衝しづらくなることが顕著になる。そのため、ワーム本体１００の外径が小径である場合には、強引に釣針Ｆが刺衝されてワーム本体１００が千切れて釣針Ｆを取り付けることができなかったり、適正な状態で取り付けることができなかったりするといった問題がある。
【０００８】
このようにワーム本体１００に対して釣針Ｆが適正に取り付けられない、すなわち、ワーム本体１００の中心線ＣＬに釣針Ｆの軸Ｆｂが傾斜した状態になると、釣針ＦのチモトＦａに連結した釣り糸Ｌを引いたときに、釣針Ｆの軸Ｆｂが釣り糸Ｌと同方向に引かれるのに対し、ワーム本体１００（魚釣り用ワーム）が釣り糸Ｌ（釣針Ｆの軸Ｆｂ）に対して斜めに引かれることになり、魚を誘うのに有効な本来の動きにならず、集魚性が低下するといった問題がある。
【０００９】
そこで、本発明は、斯かる実情に鑑み、ワーム本体が魚を誘うのに有効な本来の動きが可能となる適正な態様でワーム本体に対して釣針を簡単に取り付けることのできる魚釣り用ワームを提供することを課題とする。
【課題を解決するための手段】
【００１０】
本発明に係る魚釣り用ワームは、一方向が長手になるように成形された軟質なワーム本体を備え、釣針の針先をワーム本体の長手方向の一端から刺衝して該釣針の軸をワーム本体の長手方向に延びる中心線に沿わせるとともに、釣針の針先をワーム本体の外周から外側に延出させるように釣針が取り付けられる魚釣り用ワームにおいて、ワーム本体は、該ワーム本体の中心線に沿うように長手方向の一端から他端側に掘り下げられた針誘導部が形成されていることを特徴とする。
【００１１】
上記構成の魚釣り用ワームによれば、ワーム本体は、該ワーム本体の中心線に沿うように長手方向の一端から他端側に掘り下げられた針誘導部が形成されているので、釣針の針先を針誘導部に挿入すると釣針が針誘導部に誘導される。そして、ワーム本体に刺衝した釣針（針誘導部に挿入して刺衝した釣針）は、最終的に軸が針誘導部（ワーム本体の中心線）に沿った状態になり、この状態で釣針の針先をワーム本体の径方向に貫通させることで、該針先がワーム本体の外周から外側に延出することになる。
【００１２】
これにより、釣針の軸がワーム本体の中心線に沿った姿勢となる結果、該釣針のチモトに連結した釣り糸を引いたときに、該釣り糸とワーム本体の中心線とが同方向になった状態でワーム本体が引かれるため、ワーム本体（魚釣り用ワーム）が魚を誘うのに有効な本来の動きをし、集魚性をより高めることができる。また、上述の如く、ワーム本体に針誘導部を形成すれば、該ワーム本体の外径が極めて小径であっても釣針を適正に取り付けることができる。すなわち、ワーム本体が細い場合、その一端に釣針を刺衝することが困難であるが、針誘導部を設けることで、釣針の刺衝も容易になる上に、適正な配置で釣針を取り付けることができる。
【００１３】
本発明の一態様として、前記針誘導部は、ワーム本体の一端から途中位置まで穿設された非貫通穴で構成されてもよい。このようにすれば、釣針の針先から針誘導部に刺衝（挿通）すると、釣針が針誘導部に誘導される結果、釣針の軸が針誘導部内に到達した状態で、針先をワーム本体に貫通させて外側に延出させれば、釣針の軸をワーム本体の中心線に沿った状態で釣針を取り付けることができる。
【００１４】
この場合、前記針誘導部は、釣針の軸の長さよりも長く形成されていることが好ましい。このようにすれば、取り付けの対象となる釣針の軸全体を針誘導部（ワーム本体）内に位置させることができ、より適正な状態で釣針を取り付けることができる。
【００１５】
また、本発明の他態様として、前記針誘導部は、ワーム本体の全長に亘って貫通した穴で構成されてもよい。このようにすれば、釣針の針先から針誘導部に刺衝（挿通）させると、釣針が針誘導部に誘導される結果、釣針の軸が針誘導部内に到達した状態で、針先をワーム本体に貫通させて外側に延出させれば、釣針の軸がワーム本体の中心線に沿った状態で釣針を取り付けることができる。また、針誘導部を貫通した穴で構成することで、取り付けの対象となる釣針の軸全体を針誘導部（ワーム本体）内に位置させることができ、より適正な状態で釣針を取り付けることができる。
【００１６】
さらに、本発明の別の態様として、前記針誘導部は、ワーム本体の一端に形成された凹部で構成されてもよい。このようにすれば、釣針の針先を凹部に刺衝（挿通）することで、該釣針が凹部（針誘導部）に誘導される結果、釣針の軸をワーム本体の中心線に沿った状態で釣針を取り付けることができる。
【００１７】
そして、前記針誘導部は、内径が取り付けの対象となる釣針の軸の外径よりも小径に設定されていることが好ましい。このようにすれば、軟質なワーム本体の弾性によって針誘導部内にある釣針の軸が締め付けられることになり、取り付けた釣針が適正な位置から不用意に移動したり外れたりすることを防止することができる。
【００１８】
また、前記針誘導部は、前記中心線上を通るように設けられていることがより好ましい。このようにすれば、釣針の軸とワーム本体とが同心となるので、釣り糸を引いたときにワーム本体により良好な動きをさせることができる。
【００１９】
そして、前記ワーム本体は、外径が１０ｍｍ以下の棒状に形成されれば、種々の魚を釣ることのできるものとなる。そして、針誘導部を形成することがより効果的になり、ワーム本体の外径が１０ｍｍ以下という小径であっても釣針を適切な配置にすることができる。
【発明の効果】
【００２０】
以上のように、本発明に係る魚釣り用ワームによれば、ワーム本体が魚を誘うのに有効な本来の動きが可能となる適正な態様でワーム本体に対して釣針を簡単に取り付けることができるという優れた効果を奏し得る。
【発明を実施するための最良の形態】
【００２１】
以下、本発明の第一実施形態に係る魚釣り用ワームについて、添付図面を参照しつつ説明する。
【００２２】
本実施形態に係る魚釣り用ワームの説明に先立ち、該魚釣り用ワームに対する取り付けの対象となる釣針について概略説明すると、かかる釣針（フック）は、一般的なものであり、図１に示す如く、釣り糸Ｌが直接的又は間接的に連結されるチモトＦａと、該チモトＦａに連設されて略真っ直ぐに延びる軸Ｆｂと、該軸Ｆｂの先端に連設された曲がり部Ｆｃと、該曲がり部Ｆｃの先端に連設された針先Ｆｄとで構成されている。前記チモトＦａには、叩き、穴あき、リング付等の種々の形態があるが、魚釣り用ワームに取り付けられる釣針ＦのチモトＦａには、一般的にリング付きが採用される。
【００２３】
これに伴い、魚釣り用ワームに取り付ける釣針Ｆの一例として、釣針Ｆを含んだ図においては、チモトＦａが環状をなすリング付きの釣針Ｆを示している。また、チモトＦａがリング付きである場合には、直接釣り糸Ｌを連結する場合と、リングやスイベル等を介して釣り糸Ｌを間接的に連結する場合とがあるが、釣り糸Ｌを含んだ図においては、一例としてチモトＦａに釣り糸Ｌを直接的に連結した態様を示している。なお、上述の如く、チモトＦａがリング付きの釣針Ｆが採用されるのが一般的であるが、釣り人の好みに応じてチモトＦａの形態がリング付き以外の釣針Ｆを採用しても勿論よい。
【００２４】
本実施形態に係る魚釣り用ワームは、図２（ａ）及び図２（ｂ）に示す如く、上記構成を少なくとも備えた釣針Ｆを取り付けることを前提としたもので、一方向が長手になるように成形された軟質なワーム本体１０を備えている。
【００２５】
前記ワーム本体１０は、棒状に形成されており、本実施形態においては外径が１０ｍｍ以下に設定されている。また、魚へのアピールを高めるべく、ワーム本体１０の外周には、長手方向に複数の凹凸が連続するように形成されている。
【００２６】
該ワーム本体１０は、長手方向の一端側が生き餌の頭部に相当する部位であり、本実施形態においては、さらに魚に対するアピールを高めるべく、ワーム本体１０の長手方向の他端部に尾部１５が連設されている。本実施形態において、前記尾部１５は、ワーム本体１０の中心線ＣＬに沿うようにシート状に形成されており、オタマジャクシの尻尾の如く態様をなしている。
【００２７】
該ワーム本体１０は、ポリ塩化ビニルに可塑剤を添加したものや、生分解性樹脂、ＴＰＲ（サーモプラスチックラバー）等の樹脂材料で成形されている。これらの樹脂材料は、加熱処理等を施すことで流動性を発揮する一方で、常温の状態で固化して流動性がなくなるもののゲルの如く軟質な状態で維持するものである。本実施形態に係る魚釣り用ワーム１は、ワーム本体１０に尾部１５が連設されているため、前記尾部１５もワーム本体１０と一体的に成形されている。
【００２８】
そして、本実施形態に係るワーム本体１０は、該ワーム本体１０の中心線ＣＬに沿うように一端から他端側に掘り下げられた針誘導部１１が形成されている。すなわち、ワーム本体１０は、該ワーム本体１０の中心線ＣＬの延びる方向と略同方向に掘り下げられた針誘導部１１が一端から他端に向けて形成されている。本実施形態に係る針誘導部１１は、ワーム本体１０の長手方向の一端から他端に向けて該長手方向の途中位置まで穿設された非貫通穴で構成されており、ワーム本体１０の中心線ＣＬ上を通るように形成されている。
【００２９】
該針誘導部１１は、取り付けの対象となる釣針Ｆの軸Ｆｂの長さよりも長く設定されている。また、該針誘導部１１は、取り付けの対象となる釣針Ｆの軸Ｆｂの外径よりも内径が小径に設定されている。
【００３０】
本実施形態に係る魚釣り用ワーム１は、以上の構成からなり、図３（ａ）〜図３（ｄ）に示す如く、二つの型２０ａ，２０ｂを合わせることで形成される空間２０内に前記樹脂材料を充填することで成形される。
【００３１】
より具体的に説明すると、上記構成の魚釣り用ワーム１は、図３（ａ）に示す如く、型組される二つの型体２ａ，２ｂと、型組された型体２ａ，２ｂ（前記空間２０）内に配設される中子としての棒体３とを用いて製造される。
【００３２】
二つの型体２ａ，２ｂは、それぞれの合わせ面２５ａ，２５ｂに魚釣り用ワーム１の半分の形状の型２０ａ，２０ｂが形成されており、該合わせ面２５ａ，２５ｂを重ねることで二つの型２０ａ，２０ｂで所定形状の空間２０（本実施形態においてはワーム本体１０と尾部１５とを合わせた形状の空間）が形成されようになっている。そして、一方の型体２ａには、前記空間２０に樹脂材料を充填するための注入路２１が外部と空間２０（型２０ａ）内とを連通するように形成されている。なお、注入路２１の配置は適宜変更可能であり、例えば、各型体２ａ，２ｂの合わせ面２５ａ，２５ｂに型２０ａ，２０ｂから外部に連通する溝を形成し、それぞれの合わせ面２５ａ，２５ｂを重ねたときに各溝が一体になって空間２０と外部とを連通させる注入路となるようにしてもよい。
【００３３】
前記棒体３は、針誘導部１１を成形するためのもので、二つの型体２ａ，２ｂ内の空間２０を画定する内面（ワーム本体１０の長手方向の一端に対応する部位）から空間２０内に延出するように配置される。該棒体３は、前記針誘導部１１に対応するように釣針Ｆの軸Ｆｂの外径よりも小径に設定されている。また、該棒体３は、前記針誘導部１１の長手方向の長さ（深さ）よりも長く設定されており、一端側が二つの型体２ａ，２ｂに挟み込まれることで空間２０内に針誘導部１１の長さに対応した延出量で配置されるようになっている。このため、二つの型体２ａ，２ｂは、互いの合わせ面２５ａ，２５ｂが密接できるように、各合わせ面２５ａ，２５ｂに前記型２０ａ，２０ｂと連続するように棒体３の端部が嵌合される凹部（採番しない）が形成されている。
【００３４】
そして、図３（ｂ）に示す如く、上記構成の二つの型体２ａ，２ｂを型組する。この際、棒体３が型２０ａ，２０ｂの内面（空間２０を画定する内面）から完成時の針誘導部１１に対応する長さで延出するように、該棒体３の端部が各型体２ａ，２ｂの凹部に嵌合された上で、二つの型体２ａ，２ｂの合わせ面２５ａ，２５ｂを密接させて型組される。これにより、魚釣り用ワーム１の実体部分となる領域が型組した二つの型体２ａ，２ｂ内に空間２０として形成される。しかる後、注入路２１を介して二つの型体２ａ，２ｂ間の空間２０内に前記樹脂材料Ｍを充填する。
【００３５】
そして、空間２０内の樹脂材料Ｍが固化すると、図３（ｃ）に示す如く、二つの型体２ａ，２ｂを型割した後、図３（ｄ）に示す如く、固化した樹脂材料Ｍ（魚釣り用ワーム１）から棒体３を取り外すことで上記構成の魚釣り用ワーム１が完成する。
【００３６】
次に、図２（ｂ）を参照して釣針Ｆの取り付け方について説明すると、まず、釣針Ｆの針先Ｆｄからワーム本体１０の一端に形成される針誘導部１１の開口に挿入する。すなわち、ワーム本体１０の一端に釣針Ｆの針先Ｆｄを刺衝する。そして、釣針Ｆを針先Ｆｄから軸Ｆｂに向けて針誘導部１１に送り込む。
【００３７】
このとき、ワーム本体１０は釣針Ｆの形状に対応して変形（湾曲）することになるが、針誘導部１１が実体のない穴であるため抵抗の少ない針誘導部１１に沿って釣針Ｆが送り込まれることになる。そして、釣針Ｆの軸Ｆｂが針誘導部１１に到達して完全に入り込んだ状態で、該釣針Ｆの針先Ｆｄをワーム本体１０の径方向に貫通させることで釣針Ｆの取り付けが完了する。
【００３８】
本実施形態に係る魚釣り用ワーム１は、釣針Ｆが実体のない穴で構成される針誘導部１１に誘導されて取り付けられるため、釣針Ｆを刺衝するに際してワーム本体１０が釣針Ｆの軸Ｆｂ周りで捻れることがなく、釣針Ｆは、チモトＦａ（環状部分）がワーム本体１０の一端に隣接し、軸Ｆｂが針誘導部１１内に位置するとともに、針先Ｆｄと曲がり部Ｆｃの一部とが外側に延出することになる。また、前記針誘導部１１が釣針Ｆの軸Ｆｂの外径よりも小径に設定されているので、ワーム本体１０の弾性で釣針Ｆの軸Ｆｂが締め付けられた態様となる。
【００３９】
そして、釣針Ｆの軸Ｆｂとワーム本体１０の中心線ＣＬとが同心をなしているため、図４に示す如く、釣針ＦのチモトＦａに連結した釣り糸Ｌを引くことにより、釣り糸Ｌとワーム本体１０の中心線の方向が一致した状態でワーム本体１０が引かれる結果、該ワーム本体１０が魚を誘うのに有効な本来の動きをすることになり、集魚性を高めることができる。
【００４０】
以上のように、本実施形態に係る魚釣り用ワーム１によれば、ワーム本体１０の中心線ＣＬに沿うように長手方向の一端から他端側に掘り下げられた針誘導部１１がワーム本体１０に形成されているので、ワーム本体１０が軟質であっても釣針Ｆを容易に刺衝することができる上に、ワーム本体１０に対して適正な配置で取り付けることができる。これにより、ワーム本体１０（魚釣り用ワーム１）に魚を誘うのに有効な本来の動きをさせることができ、集魚性をより高めることができる。
【００４１】
また、前記針誘導部１１は、ワーム本体１０の一端から途中位置まで穿設された非貫通穴で構成されているので、釣針Ｆの軸Ｆｂ全体がワーム本体１０の中心線ＣＬに沿った態様に釣針Ｆを容易に取り付けることができる。特に、前記針誘導部１１は、釣針Ｆの軸Ｆｂの長さよりも長く形成されているので、取り付けの対象となる釣針Ｆの軸Ｆｂ全体を針誘導部１１内に位置させることができ、より適正な状態で釣針Ｆを取り付けることができる。
【００４２】
そして、前記針誘導部１１は、内径が取り付けの対象となる釣針Ｆの軸Ｆｂの外径よりも小径に設定されているので、ワーム本体１０の弾性によって針誘導部１１内にある釣針Ｆの軸Ｆｂに対して締め付け作用が生じ、取り付けた釣針Ｆが適正な位置から不用意に移動したり外れたりすることを防止することができる。
【００４３】
また、前記針誘導部１１は、前記中心線ＣＬ上を通るように設けられているので、釣針Ｆの軸Ｆｂとワーム本体１０とを同心にすることができ、釣り糸Ｌを引いたときのワーム本体１０の動きを最適なものにすることができる。
【００４４】
また、ワーム本体１０の外径が１０ｍｍ以下に設定されているため、種々の魚を釣ることのできるものにすることができる。そして、ワーム本体１０の外径を１０ｍｍ以下に設定しても前記針誘導部１１を設けることで釣針Ｆが刺衝しやすくなる上に釣針Ｆを適正な配置で取り付けることができる。
【００４５】
次に、本発明の第二実施形態に係る魚釣り用ワームについて説明する。なお、以下の説明において、第一実施形態と同様の構成、又は相当する構成については同一名称及び同一符号を付すこととする。
【００４６】
本実施形態に係る魚釣り用ワーム１は、図５（ａ）及び図５（ｂ）に示す如く、第一実施形態と同様の釣針Ｆを取り付けることを前提としたもので、一方向が長手になるように成形された軟質なワーム本体１０を備えている。
【００４７】
本実施形態に係る魚釣り用ワーム１は、ワーム本体１０のみで構成されている。該ワーム本体１０は、棒状に形成されており、本実施形態においては外径が１０ｍｍ以下に設定されている。そして、魚へのアピールを高めるべく、本実施形態に係るワーム本体１０は、外周の一部（長手方向の一端側の一部）に複数の凹凸が長手方向に連続して形成されている。なお、該ワーム本体１０においても、長手方向の一端側が生き餌の頭部に相当する部位である。
【００４８】
そして、本実施形態に係る魚釣り用ワーム１（ワーム本体１０）も第一実施形態と同様に、ポリ塩化ビニルに可塑剤を添加したものや、生分解性樹脂、ＴＰＲ（サーモプラスチックラバー）等の樹脂材料で成形されている。
【００４９】
そして、本実施形態に係るワーム本体１０にも、該ワーム本体１０の中心線ＣＬに沿うように一端から他端側に掘り下げられた針誘導部１１が形成されている。本実施形態に係る針誘導部１１は、ワーム本体１０の全長に亘って貫通した穴で構成されており、ワーム本体１０の中心線ＣＬ上を通るように形成されている。また、該針誘導部１１は、取り付けの対象となる釣針Ｆの軸Ｆｂの外径よりも内径が小径に設定されている。
【００５０】
本実施形態に係る魚釣り用ワーム１は、以上の構成からなり、第一実施形態と同様の方法にて製造される。なお、本実施形態に係る魚釣り用ワーム１は、針誘導部１１がワーム本体１０の全長に亘って貫通した穴で構成されているため、中子としての棒体３は、二つの型体２ａ，２ｂ内の空間２０を画定するのに対向した内面（ワーム本体１０の長手方向の一端及び他端に対応する部位）に跨る長さに設定されている。
【００５１】
次に、図５（ｂ）を参照して釣針Ｆの取り付け方について説明すると、本実施形態に係る魚釣り用ワーム１も、第一実施形態と同様に、釣針Ｆの針先Ｆｄからワーム本体１０の一端に形成される針誘導部１１の開口に挿入する。すなわち、ワーム本体１０の一端に釣針Ｆの針先Ｆｄを刺衝する。そして、釣針Ｆを針先Ｆｄから軸Ｆｂに向けて針誘導部１１に送り込む。
【００５２】
このとき、本実施形態においても、ワーム本体１０は釣針Ｆの形状に対応して変形（湾曲）することになるが、針誘導部１１が実体のない穴であるため抵抗の少ない針誘導部１１に沿って釣針Ｆが送り込まれることになる。そして、釣針Ｆの軸Ｆｂが針誘導部１１に到達して完全に入り込んだ状態で、該釣針Ｆの針先Ｆｄをワーム本体１０の径方向に貫通させることで釣針Ｆの取り付けが完了する。
【００５３】
本実施形態に係る魚釣り用ワーム１も、釣針Ｆが実体のない穴で構成される針誘導部１１に誘導されて取り付けられるため、ワーム本体１０が釣針Ｆの軸Ｆｂ周りで捻れることもなく、釣針Ｆは、チモトＦａ（環状部分）がワーム本体１０の一端に隣接し、軸Ｆｂが針誘導部１１内に位置するとともに、針先Ｆｄと曲がり部Ｆｃの一部とが外側に延出することになる。また、前記針誘導部１１が釣針Ｆの軸Ｆｂの外径よりも小径に設定されているので、ワーム本体１０の弾性で釣針Ｆの軸Ｆｂが締め付けられた態様となっている。
【００５４】
そして、釣針Ｆの軸Ｆｂとワーム本体１０の中心線ＣＬとが同心をなしているため、図６に示す如く、釣針ＦのチモトＦａに連結した釣り糸Ｌを引くことにより、釣り糸Ｌとワーム本体１０の中心線の方向が一致した状態でワーム本体１０が引かれる結果、該ワーム本体１０が魚を誘うのに有効な本来の動きをすることになり、集魚性を高めることができる。
【００５５】
以上のように、本実施形態に係る魚釣り用ワーム１においても、第一実施形態と同様に、ワーム本体１０の中心線ＣＬに沿うように長手方向の一端から他端側に掘り下げられた針誘導部１１がワーム本体１０に形成されているので、ワーム本体１０が軟質であっても釣針Ｆを容易に刺衝することができる上に、ワーム本体１０に対して適正な配置で取り付けることができる。これにより、ワーム本体１０（魚釣り用ワーム１）に魚を誘うのに有効な本来の動きさせることができ、集魚性をより高めることができる。
【００５６】
また、針誘導部１１がワーム本体１０の全長に亘って貫通した穴で構成されているので、釣針Ｆの軸Ｆｂ全体をワーム本体１０の中心線ＣＬに沿った状態で釣針Ｆを取り付けることができる。特に、針誘導部１１を貫通した穴で構成することで、取り付けの対象となる釣針Ｆの軸Ｆｂ全体を針誘導部１１内に位置させることができ、より適正な状態で釣針Ｆを取り付けることができる。
【００５７】
そして、前記針誘導部１１は、内径が取り付けの対象となる釣針Ｆの軸Ｆｂの外径よりも小径に設定されているので、ワーム本体１０の弾性によって針誘導部１１内にある釣針Ｆの軸Ｆｂに締め付け作用が生じ、釣針Ｆが適正な位置から不用意に移動したり外れたりすることを防止することができる。
【００５８】
また、前記針誘導部１１は、前記中心線ＣＬ上を通るように設けられているので、釣針Ｆの軸Ｆｂとワーム本体１０とを同心にすることができ、釣り糸Ｌを引いたときのワーム本体１０の動きを最適なものにすることができる。
【００５９】
また、ワーム本体１０の外径が１０ｍｍ以下に設定されているため、種々の魚を釣ることのできるものにすることができる。そして、ワーム本体１０の外径を１０ｍｍ以下に設定しても前記針誘導部１１を設けることで釣針Ｆが刺衝しやすくなる上に釣針Ｆを適正な配置で取り付けることができる。
【００６０】
次に、本発明の第三実施形態に係る魚釣り用ワームについて説明する。なお、以下の説明において、第一及び第二実施形態と同様の構成、又は相当する構成については同一名称及び同一符号を付すこととする。
【００６１】
本実施形態に係る魚釣り用ワーム１は、第一及び第二実施形態と同様の釣針Ｆを取り付けることを前提としたもので、図７（ａ）及び図７（ｂ）に示す如く、一方向が長手になるように成形された軟質なワーム本体１０を備えている。
【００６２】
本実施形態に係る魚釣り用ワーム１は、ワーム本体１０のみで構成されており、該ワーム本体１０は、外径が１０ｍｍ以下の棒状に形成されている。そして、本実施形態に係るワーム本体１０は、外形が第二実施形態と同様の形態に形成されている。
【００６３】
そして、該魚釣り用ワーム１（ワーム本体１０）も、第一及び第二実施形態と同様、ポリ塩化ビニルに可塑剤を添加したものや、生分解性樹脂、ＴＰＲ（サーモプラスチックラバー）等の樹脂材料で成形されている。
【００６４】
そして、本実施形態に係るワーム本体１０にも、該ワーム本体１０の中心線ＣＬに沿うように一端から他端側に掘り下げられた針誘導部１１が形成されている。本実施形態に係る針誘導部１１は、ワーム本体１０の一端に形成された凹部で構成されており、ワーム本体１０の中心線ＣＬ上を通るように形成されている。また、該針誘導部１１は、取り付けの対象となる釣針Ｆの軸Ｆｂの外径よりも内径が小径に設定されている。
【００６５】
本実施形態に係る魚釣り用ワーム１は、以上の構成からなり、第一及び第二実施形態と同様の方法にて製造される。なお、本実施形態に係る魚釣り用ワーム１は、針誘導部１１が凹部で構成されているため、中子としての棒体３は、二つの型体２ａ，２ｂ内の空間２０を画定する内面（ワーム本体１０の長手方向の一端に対応する部位）から僅かに突出するように長さが設定されている。
【００６６】
次に、図７（ｂ）を参照して釣針Ｆの取り付け方について説明すると、本実施形態に係る魚釣り用ワーム１も、第一及び第二実施形態と同様に、釣針Ｆの針先Ｆｄからワーム本体１０の一端に形成される針誘導部１１の開口に挿入する。そして、本実施形態において、針誘導部１１が深さの浅い凹部で形成されているため、釣針Ｆの針先Ｆｄを引き続きワーム本体１０の長手方向の他端に向けて刺衝する。このとき、釣針Ｆの針先Ｆｄ乃至曲がり部Ｆｃが針誘導部１１に誘導され、ワーム本体１０は釣針Ｆの形状に対応するように湾曲することになる。そして、釣針Ｆの軸Ｆｂ全体がワーム本体１０に入り込んだ状態で、該釣針Ｆの針先Ｆｄをワーム本体１０の径方向に刺衝して貫通させることで釣針Ｆの取り付けが完了する。
【００６７】
本実施形態に係る魚釣り用ワーム１も、釣針Ｆが凹部で構成される針誘導部１１によって軸心方向に誘導されて取り付けられるため、ワーム本体１０が釣針Ｆの軸Ｆｂ周りで捻れることもなく、釣針Ｆは、チモトＦａ（環状部分）がワーム本体１０の一端に隣接し、軸Ｆｂの一部が針誘導部１１内に位置しワーム本体１０の中心線ＣＬに沿うとともに、針先Ｆｄと曲がり部Ｆｃの一部とが外側に延出することになる。また、前記針誘導部１１が釣針Ｆの軸Ｆｂの外径よりも小径に設定されているので、凹部で針誘導部１１を構成しても、当該部位においてもワーム本体１０の弾性で釣針Ｆの軸Ｆｂの一部が締め付けられた態様となる。
【００６８】
そして、釣針Ｆの軸Ｆｂとワーム本体１０の中心線ＣＬとが同心をなしているため、図８に示す如く、釣針ＦのチモトＦａに連結した釣り糸Ｌを引くことにより、釣り糸Ｌとワーム本体１０の中心線の方向が一致した状態でワーム本体１０が引かれる結果、該ワーム本体１０が魚を誘うのに有効な本来の動きをすることになり、集魚性を高めることができる。
【００６９】
以上のように、本実施形態に係る魚釣り用ワーム１においても、第一及び第二実施形態と同様に、ワーム本体１０の中心線ＣＬに沿うように長手方向の一端から他端側に掘り下げられた針誘導部１１がワーム本体１０に形成されているので、ワーム本体１０が軟質であっても釣針Ｆを容易に刺衝することができる上に、ワーム本体１０に対して適正な配置で取り付けることができる。これにより、ワーム本体１０（魚釣り用ワーム１）に魚を誘うのに有効な本来の動きさせることができ、集魚性をより高めることができる。
【００７０】
また、針誘導部１１がワーム本体１０の一端に形成された凹部で構成されているので、釣針Ｆを刺衝するに際して釣針Ｆが誘導され、釣針Ｆの軸Ｆｂがワーム本体１０の中心線ＣＬに沿った状態で釣針Ｆを取り付けることができる。
【００７１】
そして、前記針誘導部１１は、内径が取り付けの対象となる釣針Ｆの軸Ｆｂの外径よりも小径に設定されているので、ワーム本体１０の弾性によって針誘導部１１内にある釣針Ｆの軸Ｆｂに締め付け作用が生じ、釣針Ｆが適正な位置から不用意に移動したり外れたりすることを防止することができる。
【００７２】
また、前記針誘導部１１は、前記中心線ＣＬ上を通るように設けられているので、釣針Ｆの軸Ｆｂとワーム本体１０とを同心にすることができ、釣り糸Ｌを引いたときのワーム本体１０の動きを最適なものにすることができる。
【００７３】
また、ワーム本体１０の外径が１０ｍｍ以下に設定されているため、種々の魚を釣ることのできるものにすることができる。そして、ワーム本体１０の外径を１０ｍｍ以下に設定しても前記針誘導部１１を設けることで釣針Ｆが刺衝しやすくなる上に釣針Ｆを適正な配置で取り付けることができる。
【００７４】
尚、本発明の魚釣り用ワームは、上記実施形態に限定されるものではなく、本発明の要旨を逸脱しない範囲内において種々変更を加え得ることは勿論である。
【００７５】
上記第一乃至第三実施形態において、チモトＦａと軸Ｆｂとが直接連結された釣針Ｆ（いわゆる、ストレートフックやマスバリ）を対象に説明したが、これに限定されるものではなく、魚釣り用ワーム１に取り付ける釣針Ｆは、ストレートフックやマスバリ以外に、チモトＦａと軸Ｆｂとの間に錘が設けられた釣針Ｆ（いわゆる、ジグヘッド）や、チモトＦａと軸Ｆｂとが軸心と直交する方向にオフセットした釣針Ｆ（いわゆる、オフセットフック）であってもよい。また、チモトＦａ近傍から針先Ｆｄに向けて変形自在なガードが設けられた釣針Ｆであっても勿論よい。
【００７６】
上記第一乃至第三実施形態において、針誘導部１１の内径を取り付け対象となる釣針Ｆの軸Ｆｂの外径よりも小径に形成したが、これに限定されるものではなく、例えば、針誘導部１１の内径は、釣針Ｆの軸Ｆｂの外径と同径に設定したり、釣針Ｆの軸Ｆｂの外径よりも大径に設定したりしてもよい。但し、取り付けた釣針Ｆの配置を適正な位置で維持させるには、針誘導部１１の内径を釣針Ｆの軸Ｆｂの外径よりも小径に設定し、挿通した釣針Ｆの軸Ｆｂに締め付け作用を生じさせることが好ましいことは言うまでもない。
【００７７】
上記第一乃至第三実施形態において、ワーム本体１０を棒状に形成したが、これに限定されるものではなく、例えば、図９（ａ）に示す如く、ワーム本体１０を極細な形態、すなわち、長手と短手との比（いわゆる、縦横比）が大きい形態に形成してもよい。また、図９（ｂ）及び図９（ｃ）に示す如く、ワーム本体１０を小魚やオタマジャクシ等といった魚が好む生き餌に似せた形態、すなわち、長手と短手との比（いわゆる、縦横比）が小さい形態に形成してもよい。つまり、ワーム本体１０は、外径に対し、釣針Ｆが取り付けられる一端（釣針ＦのチモトＦａと隣接する一端）とその反対側の他端との間（一方向）が長手になるように形成されれば、外観（外形）は適宜変更可能である。
【００７８】
上記第一乃至第三実施形態において、ワーム本体１０の外径を１０ｍｍ以下に設定したが、これに限定されるものではなく、ワーム本体１０の外径は、釣りの対象となる魚に応じて適宜変更してもよい。なお、外径が大きくなれば、その分、釣針Ｆを刺衝しやすくなるので、外径が１０ｍｍ以下に設定する場合に針誘導部１１を設けることが特に有効である。
【００７９】
上記第一乃至第三実施形態において、ワーム本体１０の中心線ＣＬを通るように針誘導部１１を形成したが、これに限定されるものではなく、例えば、ワーム本体１０の中心線ＣＬからずれた位置で、中心線ＣＬに沿うように針誘導部１１を形成してもよい。但し、ワーム本体１０が棒状に形成される場合には、該ワーム本体１０の中心線ＣＬと釣針Ｆの軸Ｆｂとが同心になることが好ましいため、針誘導部１１をワーム本体１０の中心線ＣＬを通るように形成することが好ましい。
【００８０】
また、第一実施形態において、ワーム本体１０の他端部に該ワーム本体１０の中心線ＣＬに沿ったシート状の尾部１５（テール）を設けるようにしたが、第二及び第三実施形態と同様に、ワーム本体１０のみで魚釣り用ワーム１を構成してもよい。また、第二及び第三実施形態においては、ワーム本体１０のみで魚釣り用ワーム１を構成したが、第一実施形態と同様にワーム本体１０に尾部１５を連設するようにしてもよい。但し、ワーム本体１０に尾部１５を連設する場合には、ワーム本体１０の他端に尾部１５が存在するので、針誘導部１１を凹部又か非貫通穴で構成することが好ましい。そして、ワーム本体１０の外径が小径（例えば、１ｍｍ）の場合には、針誘導部１１を貫通した穴で構成するとワーム本体１０全体の肉厚が薄くなってしまうので、強度を考慮すれば、針誘導部１１を凹部又は非貫通穴で構成することが好ましい。
【００８１】
上記第一実施形態において、尾部１５をオタマジャクシの尻尾の如く形成したが、尾部１５を設ける場合、該尾部１５の形態は第一実施形態にものに限定されるものではなく、適宜変更可能である。
【００８２】
上記第二実施形態において、非貫通穴で構成された針誘導部１１の長さ（深さ）を釣針Ｆの軸Ｆｂの長さよりも長く設定したが、これに限定されるものではなく、釣針Ｆの軸Ｆｂよりも短く設定してもよい。このように針誘導部１１内に釣針Ｆの軸Ｆｂ全体が内挿されない長さであっても、針誘導部１１を凹部で形成したときと同様に釣針Ｆを誘導して適正な配置で取り付けることができる。
【図面の簡単な説明】
【００８３】
【図１】本発明の各実施形態に係る魚釣り用ワームに取り付けられる釣針の全体図を示す。
【図２】本発明の第一実施形態に係る魚釣り用ワームの全体図であって、（ａ）は、全体平面図を示し、（ｂ）は、縦断面図を示す。
【図３】同実施形態に係る魚釣り用ワームの製造過程の説明図を示す。
【図４】第一実施形態に係る魚釣り用ワームを釣り糸で引いた状態を示す。
【図５】本発明の第二実施形態に係る魚釣り用ワームの全体図であって、（ａ）は、全体平面図を示し、（ｂ）は、縦断面図を示す。
【図６】第二実施形態に係る魚釣り用ワームを釣り糸で引いた状態を示す。
【図７】本発明の第三実施形態に係る魚釣り用ワームの全体図であって、（ａ）は、全体平面図を示し、（ｂ）は、縦断面図を示す。
【図８】第三実施形態に係る魚釣り用ワームを釣り糸で引いた状態を示す。
【図９】本発明の他実施形態に係る魚釣り用ワームの全体図であって、（ａ）は、ワーム本体を極細に形成した魚釣り用ワームを示し、（ｂ）は、ワーム本体が小魚に似せて形成された魚釣り用ワームを示し、（Ｃ）は、ワーム本体がオタマジャクシに似せて形成された魚釣り用ワームを示す。
【図１０】従来の魚釣り用ワームの説明図を示す。
【符号の説明】
【００８４】
１…魚釣り用ワーム、２ａ，２ｂ…型体、３…棒体、１０…ワーム本体、１１…針誘導部、１５…尾部、２０…空間、２０ａ，２０ｂ…型、２５ａ，２５ｂ…合わせ面、ＣＬ…中心線、Ｆ…釣針、Ｆａ…チモト、Ｆｂ…軸、Ｆｃ…曲がり部、Ｆｄ…針先、Ｌ…糸
【図１】
2009082000.tif 000003
【図２】
2009082000.tif 000004
【図３】
2009082000.tif 000005
【図４】
2009082000.tif 000006
【図５】
2009082000.tif 000007
【図６】
2009082000.tif 000008
【図７】
2009082000.tif 000009
【図８】
2009082000.tif 000010
【図９】
2009082000.tif 000011
【図１０】
2009082000.tif 000012